(57)【要約】      （修正有）【課題】掃除の時使用されるちり取りで、一端ちり取りに集めたゴミをゴミ袋に移し替える不自由を解決できるちり取りを提供する。【解決手段】ちり取り１の後部にゴミ袋との連結開口部７を設け、左右の側面部１４にはそれぞれに指２本分程度差し込める大きさの取り付け孔９が形成されている。このゴミ袋持ち手をちり取り1に設けられた取り付け孔９の内側から差し込むことで、ちり取り１とゴミ袋を一体化させるゴミ袋装着式ちり取り１である。【選択図】  図４
0003221628.tif 000002
【実用新案登録請求の範囲】
【請求項１】
ゴミ袋装着式ちり取り1であって、底面部3と、この底面部3の左右側端部4に形成された左右側面部14と、前記底面部3の後端部5に形成された後面部6と、を備え、前記後面部6には、ゴミ袋11との連結開口部7が設けられ、前記左右側面部14にはそれぞれ、前記ゴミ袋の開口側を差し込んで取り付ける取り付け孔9が形成されていて、前記ゴミ袋11の開口部8で前記連結開口部7を覆い、前記ゴミ袋の開口側を取り付け孔9に差し込んで前記ゴミ袋11をちり取り1に取り付けることができるように構成されているゴミ袋装着式ちり取り。
【請求項２】
前記取り付け孔9には、保持用スリット13が形成されたゴムシート12が取り付けられている請求項１記載のゴミ袋装着式ちり取り。
【請求項３】
前記保持用スリット13は前記ゴムシート12に複数本形成されていて、これらの保持用スリット13は中央部で互いに交わっている請求項2記載のゴミ袋装着式ちり取り。
【考案の詳細な説明】
【技術分野】
【０００１】
本考案のちり取りは両側の側面が一部それぞれ開口されている。その開口部は例えば十字に切り込みの入ったゴム製のシールで塞いでおくことができる。またちり取りの後部の開口からゴミをゴミ袋に通過させるゴミ袋装着式ちり取りである。
【背景技術】
【０００２】
掃除の時、ちり取りは日常生活で頻繁に使用するものであり、例えば特許文献１に記載されているように、取っ手を筒状にしてゴミ出し口として構成するなどして使い勝手を向上させたものもある。しかしながら、ちり取りに集めたゴミをゴミ袋に入れるという二度手間の不自由があった。
【先行技術文献】
【特許文献】
【０００３】
【特許文献１】実開昭57-12171号
【考案の開示】
【考案が解決しようとする課題】
【０００４】
日常私たちは、掃除をするときちり取りは欠かせないものであるがちり取りに集めたゴミを、さらにゴミ袋などに入れるという手間があった。このような問題を解決するゴミ袋装着式ちり取りである。
【課題を解決するための手段】
【０００５】
この問題を解決するためのゴミ袋装着式ちり取り1は、具体的には、ちり取りの底面部3の左右側端部4のそれぞれに形成された側面部14に、指2本分が入るくらいの大きさの取り付け孔9を有し、取り付け孔9は保持用スリット13の入ったゴム製シート12で塞がれている。又、ちり取り1の後面部6はゴミが通過するように連結開口部7が設けられており、ゴミ袋11と連結できる。使用時はスーパーなどのビニール袋11を開口し、下側の一辺部にちり取り1の後端部5をのせる。ビニール袋11の左右の持ち手部分10のそれぞれをちり取り1の上部の角にのせるようにしてちり取り1の内側からゴムシート12の保持用スリット13の入った取り付け孔9に差し込む。ごみ袋11の開口部8の下側の一辺がちり取り2の底面部3に密着するように構成されているゴミ袋装着式ちり取り1である。持ち手部分が形成されていないビニール袋の場合には、開口部の一部を取り付け孔9に差し込む。
【０００６】
本考案のゴミ袋装着式ちり取りは、ゴミ袋装着式ちり取り1であって、底面部3と、この底面部3の左右側端部4に形成された左右側面部14と、前記底面部3の後端部5に形成された後面部6と、を備え、前記後面部6には、ゴミ袋11との連結開口部7が設けられ、前記左右側面部14にはそれぞれ、前記ゴミ袋の開口側を差し込んで取り付ける取り付け孔9が形成されていて、前記ゴミ袋11の開口部8で前記連結開口部7を覆い、前記ゴミ袋の開口側8を取り付け孔9に差し込んで前記ゴミ袋11をちり取り1に取り付けることができるように構成されているゴミ袋装着式ちり取りである。取り付け孔9には、保持用スリット13が形成されたゴムシート12を取り付けることができ、保持用スリット13をゴムシート12に複数本形成し、保持用スリット13の中央部が互いに交わるようにしておくことができる。
【考案の効果】
【０００７】
ゴミ袋装着式ちり取り1を使用後ビニール袋11の左右の持ち手10又は開口部の一部を例えばゴムシート12の保持用スリット13から引き抜き、そのままゴミを捨てることができる。ちり取り1とゴミ袋11を一体化させることで、ゴミをちり取り1からゴミ袋11に入れるという一手間を省くことができる。
【図面の簡単な説明】
【０００８】
【図１】ゴミ袋装着式ちり取りを正面から見た図
【図２】ゴミ袋装着式ちり取りを側面から見た図
【図３】ゴミ袋装着式ちり取りを後方から見た図
【図４】ゴミ袋装着式ちり取りの分解図
【図５】ゴミ袋装着式ちり取りにゴミ袋をセットしている図
【図６】ゴミ袋装着式ちり取りにゴミ袋をセットした図
【図７】ゴミ袋装着式ちり取りからゴミ袋を取り外している図
【図８】別のちり取りに取っ手のないゴミ袋を装着している分解図
【図９】別のちり取りに取っ手のないゴミ袋を装着した図
【考案を実施するための形態】
【０００９】
本考案は、ゴミをちり取り1からゴミ袋11に直接集めるものである。そのため、ちり取り1の底面部3の後端部5に形成されている後面部6にゴミ袋11と連結する連結開口部7があり、ちり取り1の底面部3の左右側端部4に形成されている左右側面部14には人の指2本が入るぐらいの側面開口部7が形成され、この側面開口部7のそれぞれの外側及び内側から保持用スリット13の入った2枚のゴムシート12が貼られている。このちり取り1の左右の取り付け孔9の内側からそれぞれのゴミ袋11の持ち手10部分を押し込むことによりちり取り1とゴミ袋11を一体化させているゴミ袋装着式ちり取りである。
【００１０】
ゴミ袋装着式ちり取りは、ゴミ袋11の開口部8と連結開口部7が接続されていて、一端ゴミ袋を取り付けたら、ゴミが一杯になるまでそのまま使用出来る。ゴミを捨てるときは、ちり取りの左右のゴミ袋取り付け孔9からゴミ袋の持ち手10を引き抜くだけである。
【００１１】
なお、図8及び図9に示すように、持ち手10が形成されていないゴミ袋の開口部8の一部をゴムシート12の保持用スリット13に押し込んで取り付けるようにすることもできる。ここではちり取り1として幅が狭く背が高いちり取りを使用している。保持用スリット13が形成されたゴムシート12は、それぞれの取り付け孔9に外側及び内側から2枚貼り付けられている。
【符号の説明】
【００１２】
１  ゴミ袋装着式ちり取り
３  底面部
４  側端部
５  後端部
６  後面部
７  連結開口部
８  ゴミ袋の開口部
９  ゴミ袋の取り付け孔
１０  ゴミ袋の持ち手
１１  ゴミ袋
１２  ゴムシート
１３  保持用スリット
１４  側面部
【図１】
0003221628.tif 000003
【図２】
0003221628.tif 000004
【図３】
0003221628.tif 000005
【図４】
0003221628.tif 000006
【図５】
0003221628.tif 000007
【図６】
0003221628.tif 000008
【図７】
0003221628.tif 000009
【図８】
0003221628.tif 000010
【図９】
0003221628.tif 000011